(57)【要約】      （修正有）【課題】消費電力の増大を低減するとともに、記録される情報の信頼性を高める情報記録再生装置および情報記録再生方法を提供する。【解決手段】任意の情報記録媒体の品質劣化の傾向から、他の情報記録媒体の品質を算出できる情報記録媒体監視部を有し、前記情報記録媒体監視部が予め定めた品質基準値と比較し、品質基準値を満たさない情報記録媒体に対しては品質規格外媒体として所定の処置を施すことを特徴とする情報記録再生装置。【選択図】図１
2013097821.tif 000002
【特許請求の範囲】
【請求項１】
複数の情報記録媒体に情報の記録または再生が可能な情報記録再生装置であって、
前記情報記録媒体を記録または再生可能で、かつ記録または再生中に情報記録媒体の品質をあらわす値である情報記録媒体品質評価値を測定可能な複数の情報記録再生ドライブと、
前記測定した情報記録媒体品質評価値を保持することが可能な情報記録媒体監視データベースが保持する情報記録媒体品質評価値から情報記録媒体の品質劣化の傾向を算出できる情報記録媒体監視部と、を有し、
前記情報記録媒体監視部は任意の情報記録媒体の品質劣化の傾向から他の情報記録媒体の品質を算出可能であることを特徴とする情報記録再生装置。
【請求項２】
請求項１記載の情報記録再生装置であって、
前記情報記録媒体監視部は前記算出した情報記録媒体の品質と前記情報記録媒体監視部が予め定めた品質基準値を比較し、品質基準値を満たさない情報記録媒体に対しては品質規格外媒体として所定の処置を施すことを特徴とする情報記録再生装置。
【請求項３】
請求項２記載の情報記録再生装置であって、
前記所定の処置は前記品質規格外媒体を再生することで情報記録媒体品質評価値を取得し、該取得した結果を用いて再度前記品質基準値と比較し、品質基準値を満たさない情報記録媒体に対しては記録を行わないことを特徴とする情報記録再生装置。
【請求項４】
請求項２記載の情報記録再生装置であって、
前記所定の処置は前記品質規格外媒体を再生することで情報記録媒体品質評価値を取得し、該取得した結果を用いて再度前記品質基準値と比較し、品質基準値を満たさない情報記録媒体に対しては品質規格外媒体の複製を生成した上で新たな情報記録媒体と交換することを特徴とする情報記録再生装置。
【請求項５】
請求項１記載の情報記録再生装置であって、
前記情報記録媒体品質評価値は、エラーレート、ジッタやエッジシフト、ｉ−ＭＬＳＥ、ベータ、サーボ信号及びプルインエラー信号のうち少なくとも１つ以上であることを特徴とする情報記録再生装置。
【請求項６】
請求項１記載の情報記録再生装置であって、
前記品質劣化の傾向と他の情報記録媒体の品質は時間軸に対して情報記録媒体品質評価値が線形的に変化すると仮定されて算出されることを特徴とする情報記録再生装置。
【請求項７】
請求項１記載の情報記録再生装置であって、
前記情報記録媒体監視データベースには情報記録媒体品質評価値の初期値として予め定められた値が保存され、該初期値を用いて前記品質劣化の傾向と他の情報記録媒体の品質を算出することを特徴とする情報記録再生装置。
【請求項８】
請求項１記載の情報記録再生装置であって、
前記情報記録媒体監視データベースには前記品質劣化の傾向が予め保存され、該予め保存された品質劣化の傾向を用いて他の情報記録媒体の品質を算出することを特徴とする情報記録再生装置。
【請求項９】
請求項７記載の情報記録再生装置であって、
前記情報記録媒体監視データベースに前記情報記録媒体品質評価値が保存される情報記録媒体の品質を算出する際には、前記初期値を用いないことを特徴とする情報記録再生装置。
【請求項１０】
請求項８記載の情報記録再生装置であって、
前記情報記録媒体監視データベースに前記情報記録媒体品質評価値が保存される情報記録媒体の品質劣化の傾向を算出する際には、前記予め保存された品質劣化の傾向を用いないことを特徴とする情報記録再生装置。
【請求項１１】
請求項１記載の情報記録再生装置であって、
前記情報記録媒体は前記情報記録ドライブ内部に具備されることを特徴とする情報記録再生装置。
【請求項１２】
請求項１記載の情報記録再生装置であって、
前記情報記録媒体監視データベースは前記情報記録再生装置内部に具備されることを特徴とする情報記録再生装置。
【請求項１３】
複数の情報記録媒体の内、任意の情報記録媒体の記録再生中に情報記録媒体の品質を表す値である情報記録媒体品質評価値を測定し、
該測定結果から前記記録再生した情報記録媒体の品質劣化の傾向を算出し、
該算出した情報記録媒体の品質劣化の傾向から他の情報記録媒体の品質を算出することを特徴とする情報記録再生方法。
【請求項１４】
複数の情報記録媒体の内、任意の情報記録媒体の記録再生中に情報記録媒体の品質を表す値である情報記録媒体品質評価値を測定し、
該測定結果から前記記録再生した情報記録媒体の品質劣化の傾向から他の情報記録媒体の品質と予め定めた品質基準値を比較し、該比較の結果において品質基準値を満たさない情報記録媒体は廃棄する情報記録再生方法。
【請求項１５】
複数の情報記録媒体に情報の記録または再生が可能な１つ以上の情報記録再生装置と接続可能なサーバであって、
前記情報記録再生装置は、前記情報記録媒体を記録または再生可能で、かつ記録または再生中に情報記録媒体の品質をあらわす値である情報記録媒体品質評価値を測定可能な複数の情報記録再生ドライブを有し、
前記情報記録再生装置と接続するためのインターフェース部と、
前記測定した情報記録媒体品質評価値を保持することが可能な情報記録媒体監視データベースが保持する情報記録媒体品質評価値から情報記録媒体の品質劣化の傾向を算出できる情報記録媒体監視部と、を有し、
前記情報記録媒体監視部は任意の情報記録媒体の品質劣化の傾向から他の情報記録媒体の品質を算出可能であることを特徴とするサーバ。
【請求項１６】
請求項１５記載のサーバであって、
前記情報記録媒体監視部は前記算出した情報記録媒体の品質と前記情報記録媒体監視部が予め定めた品質基準値を比較し、品質基準値を満たさない情報記録媒体に対しては品質規格外媒体として所定の処置を施すよう前記情報記録再生装置に所定の指示を与えることを特徴とするサーバ。
【請求項１７】
請求項１６記載のサーバであって、
前記所定の処置は前記品質規格外媒体を再生することで情報記録媒体品質評価値を取得し、該取得した結果を用いて再度前記品質基準値と比較し、品質基準値を満たさない情報記録媒体に対しては記録を行わないことを特徴とするサーバ。
【請求項１８】
請求項１６記載のサーバであって、
前記所定の処置は前記品質規格外媒体を再生することで情報記録媒体品質評価値を取得し、該取得した結果を用いて再度前記品質基準値と比較し、品質基準値を満たさない情報記録媒体に対しては品質規格外媒体の複製を生成した上で新たな情報記録媒体と交換することを特徴とするサーバ。
【請求項１９】
請求項１５記載のサーバであって、
前記情報記録媒体品質評価値は、エラーレート、ジッタやエッジシフト、ｉ−ＭＬＳＥ、ベータ、サーボ信号及びプルインエラー信号のうち少なくとも１つ以上であることを特徴とするサーバ。
【請求項２０】
請求項１５記載のサーバであって、
前記情報記録媒体監視データベースは前記サーバ内部に具備されることを特徴とするサーバ。
【発明の詳細な説明】
【技術分野】
【０００１】
本発明は情報記録再生装置に係り、特に複数の情報記録媒体を具備したアーカイブ装置において各情報記録媒体の品質を評価する方法に関する。
【背景技術】
【０００２】
本技術分野の背景技術として特開２００７−８０３６３号公報（特許文献１）がある。この公報には、「ＤＶＤドライブはＤＶＤディスクに記憶された情報を読み出す。制御部は読み出された情報からディスク劣化情報を求める。」と記載されている。
【先行技術文献】
【特許文献】
【０００３】
【特許文献１】特開２００７−８０３６３号
【発明の概要】
【発明が解決しようとする課題】
【０００４】
埃、湿気などの取り除くことが困難な外的要因や経年劣化などにより情報記録媒体の品質は劣化する（以下、自然劣化と表記）。特許文献１記載の手法では記録や再生（以下、記録再生と表記）を行わない情報記録媒体のディスク劣化情報を求めることは不可能であり、複数の情報記録媒体を具備するアーカイブ装置においては各々の情報記録媒体を記録再生する頻度が少ないため、記録再生されないディスクの品質を監視できず、前記アーカイブ装置に記録される情報の信頼性が損なわれるといった課題がある。
【０００５】
一方、アーカイブ装置が具備する全ての情報記録媒体に対して再生を行い、該全ての情報記録媒体のディスク劣化情報を求めると、アーカイブ装置の消費電力が大きくなってしまう。
【０００６】
本発明は前記課題に鑑みてなされたものであり、複数の情報記録媒体を具備するアーカイブ装置において、消費電力の増大を低減するとともに、記録される情報の信頼性を高めることを目的とする。
【課題を解決するための手段】
【０００７】
上述の課題を解決するため、本発明では一例として特許請求の範囲記載の構成を用いる。
【発明の効果】
【０００８】
本発明によれば、消費電力の増大を低減すとともに、記録される情報の信頼性を高める情報記録再生装置を提供することができる。
【０００９】
上記した以外の課題、構成及び効果は、以下の実施形態の説明により明らかにされる。
【図面の簡単な説明】
【００１０】
【図１】実施例１における記録再生時の情報記録媒体品質評価処理のフローチャート
【図２】実施例１における情報記録再生装置のブロック図
【図３】実施例１における情報記録再生ドライブのブロック図
【図４】実施例１における保存経過時間に対する情報記録再生媒体品質劣化の特性
【図５】実施例１における保存経過時間に対する情報記録再生媒体品質劣化の特性
【図６】実施例１における情報記録媒体品質の類推方法の概念図
【図７】実施例１における品質規格外情報記録媒体に対する特別処理のフローチャート
【図８】実施例１における情報記録媒体のレイアウト
【図９】実施例１における全情報記録媒体の品質算出処理のフローチャート
【図１０】実施例１における記録再生時以外の情報記録媒体品質評価処理のフローチャート
【図１１】実施例１における情報記録媒体品質評価値
【図１２】実施例２における情報記録再生装置のブロック図
【図１３】実施例２における情報記録再生ドライブのブロック図
【図１４】実施例２における情報記録媒体品質評価値
【図１５】実施例２における記録再生時の情報記録媒体品質評価処理のフローチャート
【図１６】実施例２における品質規格外情報記録媒体に対する特別処理のフローチャート
【図１７】実施例２における記録再生時以外の情報記録媒体品質評価処理のフローチャート
【図１８】実施例３におけるホストサーバと情報記録再生装置から構成されるアーカイブ装置のブロック図
【図１９】実施例３におけるホストサーバのブロック図
【図２０】実施例３における情報記録再生装置のブロック図
【図２１】実施例３における情報記録再生装置のブロック図
【図２２】実施例３における情報記録媒体品質評価値
【図２３】実施例３における情報記録媒体品質評価値
【発明を実施するための形態】
【００１１】
以下、実施例を図面を用いて説明する。
【実施例１】
【００１２】
実施例１では本発明を光ディスクを用いたアーカイブ装置（以下、光ディスクアーカイブ装置またはアーカイブ装置と表記）に適用した場合の実施例について説明する。
【００１３】
実施例１のアーカイブ装置の構成ならびに動作を、図面を参照しながら詳述する。
【００１４】
図２は実施例１におけるアーカイブ装置のブロック図である。以下、本実施例では情報記録媒体に光ディスクを、情報記録媒体記録再生ドライブに光ドライブを用いる光ディスクアーカイブ装置として説明するが、本発明を適用可能な情報記録媒体や情報記録再生ドライブはこれらに限られるものではなく、例えば情報記録媒体として磁気記録媒体や磁気テープ媒体を、情報記録再生ドライブに磁気記録再生ドライブを用いて構成されるアーカイブ装置としても良い。また、例えばホログラム媒体や半導体メモリに適用しても構わない。
【００１５】
本実施例のアーカイブ装置１０は、アーカイブ装置制御部１１と、チェンジャー機構１２と、光ディスク４０を複数収納するラック１３と、ホストインタフェース１４と、ドライブインタフェース１５と、情報記録媒体品質監視部１６と、情報記録媒体監視デーベース１７と、複数の光ドライブ３０とで構成される。
【００１６】
光ディスクアーカイブ装置１０は、ホストインタフェース１４を介してホストコンピュータ２０と接続され、記録や再生といった各種のコマンドとコマンドの実行結果と記録再生したデータを送受信する。
【００１７】
ラック１３は複数のスロットを備えており、各スロットには1枚ずつ光ディスク４０を収納することができる。
【００１８】
アーカイブ装置制御部１１は光ディスクアーカイブ装置１０の動作全般を制御する機能を備えており、チェンジャー機構１２を動作させて、ラック１３から所定の光ディスク４０を取り出し、所定の光ドライブ３０まで搬送してロードする。あるいは逆に、所定の光ドライブ３０からイジェクトされた光ディスク４０を、ラック１３の所定のスロットに搬送して収納する。また、ドライブインタフェース１５を介して各光ドライブ３０は互いに、またアーカイブ装置制御部１１と接続されており、アーカイブ装置制御部１１は所定の光ドライブ３０に対して記録や再生といった各種のコマンドと記録するデータを送信し、コマンドの実行結果と再生したデータおよび後述する情報記録媒体品質評価値を受信する。また、アーカイブ装置制御部１１は受信した情報記録媒体品質評価値を情報記録媒体品質監視部１６に供給する。
【００１９】
情報記録媒体品質監視部１６は、アーカイブ装置制御部１１から受信した情報記録媒体品質評価値に基づいて、ラック１３に収納されている全ての光ディスク４０の品質を監視し管理する機能を備えている。また、該品質結果に応じた処理コマンドをアーカイブ装置制御部１１に供給する。
【００２０】
情報記録媒体監視データベース１７は情報記録媒体品質監視部１６が全光ディスク４０の品質を管理するための情報を保持するデータベースであり、情報記録媒体品質監視部１６によってレコードの更新と読み出しが行われる。
【００２１】
ライブラリ１０の詳細な動作については後述する。
【００２２】
図８は実施例１における光ディスク４０の構成図である。
【００２３】
光ディスク４０は大きく分けて、ディスクＩＤなどが記録されているリードインエリア４１、リードアウトエリア４２、ユーザがデータを記録再生するユーザデータエリア４３の３つの領域から構成される。
【００２４】
図３は実施例１における光ドライブ３０のブロック図である。
本実施例の光ドライブ３０は、ドライブ制御部３１と、光ピックアップ３２と、コントローラインタフェース３４と、ディスク回転機構５０と、スライダ機構５１と、サーボ制御部５２と、サーボ信号生成部５３と、再生信号生成部５４と、再生信号２値化部５５と、エンコード部５６と、デコード部５７と、ＡＦＥ(Ａｎａｌｏｇ Ｆｒｏｎｔ Ｅｎｄ)６０と、信号品質測定部６１とで構成される。
【００２５】
光ディスク４０からの反射光量は光ピックアップ３２の光検出器で受光されて電気信号に変換され、ＡＦＥ６０に送られる。
【００２６】
ＡＦＥ６０は光ピックアップからの電気信号の増幅等のアナログ信号処理を実行し、信号品質測定部６１とサーボ信号生成部５３と再生信号生成部５４に供給する。
【００２７】
信号品質測定部６１は、ＡＦＥ６０から供給される信号の最短周期信号長の振幅中心情報であるベータ、前記信号の位相エラー情報であるエッジシフト、ジッタ、i-MLSE、および反射光の総和であるプルインエラー信号（以下ＰＥと表記)などを測定して測定結果を生成し、後述する情報記録媒体品質評価値としてドライブ制御部３１に供給する。
【００２８】
サーボ信号生成部５３は、装着された光ディスク４０に好適な検出方法で各種のサーボ信号を選択して生成し、後述する情報記録媒体品質評価値としてドライブ制御部３１に供給する。サーボ信号には少なくともフォーカス誤差信号とトラッキング誤差信号とが含まれる。
【００２９】
再生信号生成部５４は、波形等化回路とＡ／Ｄコンバータとを備えており、ＡＦＥ６０から供給されたアナログの再生信号に対して、所定の波形等化の後、標本化および量子化を行ってデジタル信号に変換し、再生信号２値化部５５に供給する。
【００３０】
再生信号２値化部５５は、トランスバーサルフィルタと、ビタビ復号回路を備える。再生信号生成部５４から供給されたデジタル信号はトランスバーサルフィルタで所定のＰＲクラスに等化され、ビタビ復号回路で最尤復号を行って、この等化波形を所定の変調規則に基づくＮＲＺＩ信号に変換する。再生信号２値化部５５で生成されたＮＲＺＩ信号は、デコード部５７によってデータの訂正処理などを行って再生データ信号に変換され、コントローラインタフェース３４を介してアーカイブ装置制御部１１に送られる。再生データは前記ユーザデータエリア４３に記録されたユーザデータのみではなく、光ディスクのリードインエリア４１に記録されるディスクＩＤなどの情報も含み、リードインエリアを再生した際に得られる情報、特にディスクＩＤは情報記録媒体品質評価値として再生データと共にコントローラインタフェース３４を介してアーカイブ装置制御部１１に送られる。また、デコード部５７は訂正処理時に訂正を行った回数を通知する機能を備えており、再生エラーレートを測定することができ、該再生エラーレートも情報記録媒体品質評価値としてコントローラインタフェース３４を介してアーカイブ装置制御部１１に送られる。
【００３１】
ドライブ制御部３１は、光ドライブ３０の動作全般を制御する。
【００３２】
再生時のドライブ制御部３１はサーボ信号生成部５３から供給されるサーボ信号を用いて、ディスク回転機構５０に装着された光ディスク４０の回転制御を行い、スライダ機構５１を駆動して光ピックアップ３２を光ディスク４０の半径方向に変位させるシーク制御及び送り制御を行い、光ピックアップ３２の対物レンズを駆動してフォーカス制御およびトラッキング制御を行う。尚、ここでサーボ制御に用いたサーボ信号は情報記録媒体品質評価値としてコントローラインタフェース３４を介してアーカイブ装置制御部１１に送られる。
【００３３】
記録時のドライブ制御部３１はコントローラインタフェース３４を介してアーカイブ装置制御部１１から送られてきた記録データ信号を、エンコード部５６で所定の変調規則によるＮＲＺＩ信号に変換してドライブ制御部３１に供給し、ドライブ制御部３１はこのＮＲＺＩ信号に対応した記録ストラテジ（発光パルス列）に変換し、所定の光強度およびパルス列でレーザを発光させる。
【００３４】
ここで前記記載の情報記録媒体品質評価値について図１１を用いて説明する。
【００３５】
図１１は情報記録媒体品質評価値として情報記録媒体監視データベース１７に記録される項目を示しており、各情報はディスクＩＤ毎に記録再生もしくは後述する光ディスクの品質を類推するたびに追加更新される。１１００は光ディスク固有のＩＤを示すディスクＩＤ、１１０は光ディスクがラック１３に保管されてから経過した時間を示すディスク保管時間、１１０２は記録再生動作を行った時間を示す記録再生動作時間、１１０３乃至１１０９は順に記録再生時に取得したエラーレート、エッジシフト、ジッタ、ｉ−ＭＵＬＳＥ，ベータ、サーボ信号、ＰＥを各々示し、１１１０乃至１１１２については後述する品質劣化の傾向、類推品質、品質保持時間を示す。尚１１０３乃至１１０９は記録再生中に取得する情報であるが、その値は最も悪く出た値を項目毎に記録再生を行ったアドレス情報と共に保管しても良いし、記録再生した箇所の各項目の平均値を保管しても良いし、ディスクの自然劣化が最も顕著に現れる記録再生領域の最外周の情報を記録しても良く、保管される情報の記録再生位置は限定されない。
【００３６】
実施例１の光ディスクアーカイブ装置が記録再生中に全光ディスクの品質を評価する処理動作について説明する。図１は実施例１における記録再生動作中に実行する情報記録媒体の品質評価処理のフローチャートである。
【００３７】
アーカイブ装置制御部１１はホストコンピュータ２０から記録再生命令を受け取ると、記録再生処理の実行に併せて品質評価処理を実施する。ここでは光ディスク４０のうち、光ディスクＭにデータを記録再生する命令を受け取ったものとする。
【００３８】
アーカイブ装置制御部１１は光ディスクＭを記録再生する光ドライブ３０として光ドライブＮを選択し、１００において、チェンジャー機構１２を駆動して光ディスクＭを光ドライブＮにロードする。
【００３９】
１０１において光ディスクＭのリードインエリア４１を再生し、特にディスクＩＤなどは情報記録媒体品質評価値としてアーカイブ装置制御部１１に送られる。
【００４０】
１０２において光ディスクＭのユーザデータエリア４３を記録再生し、該記録再生中に光ドライブＮは記録再生領域のベータ、エッジシフト、ジッタ、サーボ信号、ＰＥおよびi-MLSEやエラーレートなどの情報記録媒体品質評価値を測定する。なお、本発明において、これら評価値のうちいずれか１つを用いても構わない。再生の場合は再生データから信号品質測定部６１とデコード部５７が前記情報記録媒体品質評価値を測定し、記録の場合は記録後に記録箇所の再生を行うベリファイ処理によって、情報記録媒体品質評価値を測定する。このベリファイ処理は記録する全ての領域に対して行っても良いし、例えば記録されるデータの内、最外周側に記録されるデータに対して行っても良い。これは情報記録媒体の経年劣化は外周側の方が内周側に比べて起こりやすいことに起因する。なお、本発明はこれらに限られず、情報記録媒体品質評価値を測定する領域は限定されない。測定された情報記録媒体品質評価値はアーカイブ装置制御部１１に送られる。
【００４１】
次に１０３において、アーカイブ装置制御部１１は受信した情報記録媒体品質評価値を情報記録媒体品質監視部１６に供給し、１１１においてアーカイブ装置制御部１１は光ドライブＮから光ディスクＭをイジェクトさせる。イジェクトされた光ディスクＭはチェンジャー機構１２によりラック１３に搬送される。
【００４２】
次に１０４において、情報記録媒体品質監視部がラックに保管される全光ディスクの品質劣化の傾向１１１０、類推品質１１１１および品質保持時間１１１２を算出する。１０４の詳細な動作については後述する。
【００４３】
次に１０５では類推品質１１１１が図６に示す閾値６０６を超える光ディスクがあるかを判断し、無ければ評価を終了し、あれば該ディスクを品質規格外ディスクに設定して１０６の処理を実行する。
【００４４】
１０６において、チェンジャー機構１２を駆動して前記品質規格外ディスクを光ドライブＮにロードする。１０７において前記品質規格外ディスクのリードインエリア４１を再生し、ディスクＩＤなどは情報記録媒体品質評価値としてアーカイブ装置制御部１１に送られる。
【００４５】
１０８において品質規格外ディスクの情報記録媒体品質評価値を取得する。既記録ディスクに対してはユーザデータを再生し、ベータ、エッジシフト、ジッタおよびi-MLSEやエラーレートなどを測定し、情報記録媒体品質評価値としてアーカイブ装置制御部１１に供給する。未記録ディスクに対しては未記録領域を再生した際に得られるＰＥ信号やサーボ信号を測定し、情報記録媒体品質評価値としてアーカイブ装置制御部１１に供給する。アーカイブ装置制御部１１は供給された情報記録媒体品質評価値を情報記録媒体品質監視部１６に供給し、情報記録媒体品質監視部１６は供給された情報を用いて、ディスクＩＤ毎に情報記録媒体品質評価値が管理されている情報記録媒体監視データベース１７を更新する。
【００４６】
１０９において１０８で取得した情報記録媒体品質評価値と閾値６０６を比較し、その結果、光ディスクは品質規格外の光ディスクであるかを判断し、品質規格外のディスクでなければ１１２の処理を実行し、１０９において検査した光ディスクが品質規格外の光ディスクであると判断された場合には１１０の品質規格外ディスクに対して特別処理を実行する。１１０の詳細な動作については後述する。
【００４７】
１１２ではアーカイブ装置制御部１１は光ドライブＮから光ディスクＭをイジェクトさせる。イジェクトされた光ディスクＭはチェンジャー機構１２によりラック１３に搬送される。１１２の処理が終了すれば、１０５の処理に戻りまだ１０８の処理を行っていない光ディスクの内１０４の類推品質１１１１から品質規格外ディスクと判断されるディスクはないかを判断する。
【００４８】
前記１０４の処理において全光ディスクの品質劣化の傾向１１１０を算出する方法について図４と図５を用いて説明する。
【００４９】
図４は自然劣化とｉ−ＭＬＳＥ、ベータの関係を示す図である。
【００５０】
図４の４０１は経過時間に対して自然劣化のみが要因となり変化するｉ−ＭＬＳＥの様子を示し、４０２は経過時間に対して自然劣化のみが要因となり変化するベータの様子を示す。
【００５１】
図４に示す通り、自然劣化によるｉ−ＭＬＳＥ、ベータはある経過時間を境にｉ−ＭＬＳＥ４０１は急激に増加し、ベータは減少するという特性がある。
【００５２】
また図５は経過時間に対して自然劣化のみが要因となり変化するエラーレートの関係を示す図である。５０１乃至５０７は各光ディスクの経過時間に対して自然劣化のみが要因となり変化するエラーレートの様子を示し、５０８は５０１乃至５０７の全光ディスクの品質劣化の傾向の平均を示す。
【００５３】
図５に示す通り、自然劣化によるエラーレートは経過時間に対して線形的に悪化する特性がある。
【００５４】
図４、５に示される特性を用いて品質劣化の傾向１１１０を算出する。次に前記１０４の処理において全光ディスクの類推品質１１１１と品質保持時間１１１２を算出する方法を図６を用いて説明する。
【００５５】
例えば情報記録媒体監視データベース１７に図６に示す光ディスク１のエラーレート６０１と光ディスク３のエラーレート６０７が保存されている状態で、光ディスク２の情報記録媒体品質評価値６０３を取得し、前記記載の方法で全光ディスクの品質劣化の傾向６０２を算出し、光ディスク１と３に前記算出した品質劣化の傾向を適用し、現在の品質６０８と６０９を算出し、該６０８と６０９の値を類推品質１１１１とする。ここで、情報記録媒体監視データベース１７に過去の情報記録媒体品質評価値が登録されていない未記録のディスク４がある場合については、未記録の光ディスクに対して予め定めた光ディスクの情報記録媒体初期品質情報６１０と前記算出した全光ディスクの品質劣化６０２の傾向を用いて、類推品質６１１を算出する。もしくは図示していないが、予め定めた品質劣化の傾向から類推品質６１１を算出しても良い。
【００５６】
６０８、６０９及び６１１の現在の品質を類推したら、次に予め定めた良質である光ディスクと悪質である光ディスクを判別するための閾値６０６の品質となる経過時間６０５を光ディスク毎に算出し、算出結果を品質保持時間１１１２として情報記録媒体監視データベース１７に保存する。
【００５７】
前記１０４の全光ディスクの品質劣化の傾向１１１０、類推品質１１１１および品質保持時間１１１２を算出する処理フローについて図９を用いて詳細に説明する。
【００５８】
図９は全光ディスクの品質劣化の傾向１１１０、類推品質１１１１および品質保持時間１１１２を算出する処理のフローチャートである。情報記録媒体品質監視部が記録再生した光ディスクの情報記録媒体品質評価値を取得すると、まず記録再生した光ディスクのディスクＩＤを取得し（１０４００）、取得したディスクＩＤの過去の情報記録媒体品質評価値を情報記録媒体監視データベース１７に検索する（１０４０１）。１０４０２において今回取得したディスクＩＤの過去の情報記録媒体品質評価値が情報記録媒体監視データベースに記録されているかを判断し、記録されていれば今回取得した情報記録媒体品質評価値を情報記録媒体監視データベース１７に追加登録した上で１０４０３の処理に移り、記録されていなければ今回取得した情報記録媒体品質評価値を情報記録媒体監視データベース１７に新規登録した上で、１０４０５の処理を実行する。
【００５９】
１０４０３においては今回取得した情報記録媒体品質評価値と過去に取得した情報記録媒体品質評価値から、前記記載の通り、例えばｉ−ＭＬＳＥであれば経過時間に対して指数関数近似を行い、ベータやエラーレートであれば経過時間に対して線形近似を行って、記録再生した光ディスクの品質劣化の傾向１１１０を算出し、該算出した品質劣化の傾向１１１０を情報記録媒体監視データベース１７にディスクＩＤ毎に保存する。
【００６０】
１０４０５においては前記記載の通り今回取得した情報記録媒体品質評価値と情報記録媒体監視データベース１７に記録される予め定めた初期値もしくは予め定めた品質劣化の傾向から１０４０３と同様に品質劣化の傾向１１１０を算出し、該算出した品質劣化の傾向１１１０を情報記録媒体監視データベース１７にディスクＩＤ毎に保存する。
【００６１】
尚、品質劣化の傾向１１１０の算出方法としてｉ−ＭＬＳＥであれば経過時間に対して指数関数近似を行い、ベータやエラーレートであれば経過時間に対して線形近似を行うと記載したが、品質劣化の算出方法はこれらに限定されるものではなく、例えばｉ−ＭＬＳＥの変化の傾向を線形近似を用いて算出しても良い。また品質劣化の傾向に用いる指標はｉ−ＭＬＳＥ、ベータやエラーレートと記載したが、そのほかにジッタやエッジシフト、後述する未記録ディスクの品質を類推する際に用いるサーボ信号やＰＥを用いても良い。また算出の際にはディスクＩＤ毎に今回取得した情報記録媒体品質評価値と過去に取得した全ての情報記録媒体品質評価値を用いても良いし、その一部を用いて品質劣化の傾向を算出しても良く、その算出方法は限定されない。
【００６２】
また情報記録媒体監視データベース１７に登録される品質劣化の傾向１１１０は例えば前記近似計算を用いて算出した数式とする。前記保存される数式は、例えば情報記録媒体品質評価値にエラーレートを用いる場合は時間に対して線形一次補間を行い線形一次近似式を算出し、該算出した近似式の次数と係数のみとしても良いし、一般式でも良い。また情報記録媒体品質評価値にｉ−ＭＬＳＥを用いる場合は時間に対して指数近似を行い、該算出した近似式の係数のみとしても良いし、一般式でも良い。
【００６３】
１０４０３または１０４０５で記録再生した光ディスクの品質劣化の傾向１１１０を算出したら、次に１０４０４で全光ディスクの品質劣化の傾向を算出する。全光ディスクの品質劣化の傾向は例えば図５の５０８に示す通り、情報記録媒体監視データベース１７に保存される全ての品質劣化の傾向から、その平均を全光ディスクの品質劣化の傾向としても良いし、品質劣化が経過時間に対して最も大きいものを全光ディスクの品質劣化の傾向としても良いし、任意の光ディスクの品質劣化の傾向を全光ディスクの品質劣化の傾向としても良い。また全光ディスクの品質劣化の傾向１１１０は全ディスク共通の値としても良いし、ディスクＩＤ毎に保有しても良いし、例えばディスク保管時間１１０１別にグループ分けして保有しても良い。
【００６４】
１０４０４で全光ディスクの品質劣化の傾向１１１０を算出したら、１０４０６で全光ディスクの現在の品質である類推品質１１１１を算出する。なお、本発明は、必ずしも全ての光ディスクの類推品質１１１１を算出する必要はなく、少なくとも１枚の類推品質１１１１を算出すればよい。
【００６５】
１０４０６で全光ディスクの品質を類推したら、全情報記録媒体の品質算出は終了し、図１の１０５の処理を行う。尚、類推品質１１１１と品質保持時間１１１２を算出するために情報記録媒体品質評価値の内、エラーレートを用いることを記載しているが、情報記録品質情報として用いる情報はこれに限らず、ｉ−ＭＬＳＥやベータやジッタやＰＥやサーボ信号などでも良い。
【００６６】
前記１１０の品質規格外ディスクの特別処理について図７を用いて詳細に説明する。
【００６７】
まず１１０００において当該ディスクが未記録ディスクであるかを判断し、未記録ディスクであれば１１００１の処理を実行し、既記録ディスクであれば１１００６の処理を実行する。
【００６８】
１１００１では品質規格外ディスクを記録禁止ディスクに設定して、以降記録を行わないディスクとし、交換対象ディスクとして該ディスクを光ディスクアーカイブ装置から排出し、新たなディスクと交換する処理などを行う。また交換対象ディスクに設定された光ディスクに関する情報記録媒体監視データベース１７に記録される情報記録媒体品質評価値には交換対象ディスクに設定されたことを追加し、該品質規格外ディスクの情報記録媒体品質評価値は全光ディスクの品質劣化の傾向１１１０、類推品質１１１１および品質保持時間１１１２を算出する際には除外しても良いし、用いても良い。ここで、交換対象ディスクに設定されたディスクの交換処理実行時期については交換対象ディスクが一定の枚数に達した時点で行っても良いし、交換処理を実行する時期を定期的に決めて行っても良く、交換する時期については限定されない。
【００６９】
また、交換対象ディスクに設定したディスクをすぐに交換しない場合は、一旦光ドライブＮからイジェクトし、イジェクトされた交換対象ディスクはチェンジャー機構１２により一時的にラック１３に保管される。また新たに追加されたディスクは従来から保管される情報記録媒体の情報記録媒体品質評価値も含めて品質劣化の傾向１１１０、類推品質１１１１および品質保持時間１１１２を算出しても良いし、光ディスクを追加した時期毎、つまりディスク保管時間毎に区分けして前記１１１０乃至１１１２を算出しても良い。
【００７０】
品質規格外ディスクに対して前記記録禁止ディスクと交換対象ディスクとしての設定を終えたら規格外ディスクの特別処理は終了する。
【００７１】
１１００６では１０５で品質規格外ディスクと判断されなかった光ディスク、または１１００４で記録禁止ディスクと判断されていない光ディスクＰを光ドライブ３０中の光ドライブＯにロードし、１１００７でドライブＯにロードした光ディスクＰのリードインエリア４１を再生し、特にディスクＩＤなどは情報記録媒体品質評価値としてアーカイブ装置制御部１１に送られる。ここで品質規格外ディスクに設定された光ディスクを再生したデータの信頼性について言及する。一般的に、アーカイブ装置に用いられる情報記録媒体は民生用途の情報記録媒体に比べて高品質であることが求められるため、前記アーカイブ用途の閾値６０６は民生用途の閾値６０６より低い値が設定される。そのため前記１０５の処理で品質規格外ディスクと設定されても再生不可能な光ディスクになることはなく、また再生不可能な光ディスクを発生させないように閾値６０６も設定される。
【００７２】
１１００２ではまずドライブＮが品質規格外ディスクに記録される全てのデータを再生し、再生されたデータは順次アーカイブ装置制御部１１に送られる。アーカイブ装置制御部１１は該送られる再生データを順次記録データとして光ドライブＯに供給し、光ドライブＯは該送られるデータを順次光ディスクＰに記録して、品質規格外ディスクの複製を生成する。前記ディスク複製時の記録動作については図１に示す１０２の記録動作と同様に記録と再生を交互に繰り返すベリファイ処理とし、記録中は情報記録媒体品質評価値を取得する。
【００７３】
１１００３では１１００２で取得した情報記録媒体品質評価値を用いて、複製した光ディスクＰが品質規格外ディスクであるかを判断し、複製した光ディスクＰが品質規格外ディスクでなければ１１００５の処理を実行し、複製した光ディスクＰが品質規格外ディスクであれば１１００４の処理を実行する。
【００７４】
１１００５は１１００１の同様の処理であり、前記１１００５の処理を終了したら複製した光ディスクＰをチェンジャー機構１２を用いてラック１３に搬送して品質規格外ディスクの特別処理は終了する。
【００７５】
１１００４では複製した光ディスクＰに対して１１００１や１１００５と同様の処理を実行し、処理が終了したら１１００６の処理を実行する。
【００７６】
品質規格外ディスクの特別処理が終了したら、１０５の処理に戻り品質規格外ディスクの内、１０６乃至１０８の処理を実行していない光ディスクはないかを判断し、ないと判断されれば評価は終了し、あれば前記記載の通り１０６の処理を実行する。
【００７７】
ここで、記録再生時以外の光ディスクアーカイブ装置１０の動作中の情報記録媒体品質評価について説明する。
【００７８】
図１０は記録再生時以外の光ディスクアーカイブ装置１０の動作中の情報記録媒体の品質評価処理フローチャートを示す。尚、図１に示す記録再生動作中に実行する情報記録媒体の品質評価処理のフローチャートと同じ処理については図１と同じ番号を付しおり、同じ処理の動作説明は省略する。
【００７９】
１００１において、情報記録媒体品質監視部１６は情報記録媒体監視データベース１７に記録される図１１の全光ディスクの品質保持時間１１１２とディスク保管時間１１０１を比較し、該比較結果において品質保持時間１１１２がディスク保管時間１１０１を上回った場合は記録再生時以外の情報記録媒体の品質評価は終了し、下回った場合は１０６の処理を実行する。
【００８０】
図１０に示す１０６乃至１１０及び１１２の処理は前記記載の図１に示す１０６乃至１１０及び１１２と同様である。
【００８１】
ここで記録再生時以外の評価は、光ディスクライブラリの起動中は常に実行していても良い。また、当該評価は、定期的に実行していても良いし、図２に示すホストコンピュータ２０からの命令を受けたときに実行しても良いし、品質保持時間１１１２がディスク保管時間１１１２を下回ったら警告信号を出力する機能を情報記録媒体監視データベースに持たせ、図１０に示す処理を実行するようにしても良い。これにより、消費電力の削減が可能となると共に、情報記録媒体の品詞監視のための動作を軽減することができる。なお、本発明はこれらに限られず記録再生時以外の評価の時期は限定されない。
【００８２】
また、光ディスクアーカイブ装置が記録再生を行わず、情報記録媒体監視データベースに情報記録媒体品質評価値が全く記録されていない場合においては、情報記録媒体品質監視部１６が予め定めた初期品質保持時間と前記経過時間の比較を行い、前記１００１と同様の処理を実行する。
【００８３】
このように通常の記録再生動作中に情報記録媒体品質評価値を取得し、該取得した結果から情報記録媒体の品質劣化の傾向を算出し、該算出した品質劣化の傾向から情報記録媒体の品質を類推することで、情報記録媒体品質監視のための処理を大きく軽減することができ、アーカイブ装置に保存される情報記録媒体の品質を監視することができるため、アーカイブ装置に記録されるデータの信頼性を向上することができる。
【００８４】
なお、本発明は、チェンジャー機構を備えるアーカイブ装置において特に有効である。チェンジャー機構を備える装置において、アーカイブ装置が具備する全ての情報記録媒体に対して再生を行い、該全ての情報記録媒体の劣化情報を求めると、逐次、チェンジャー機構が情報記録媒体を記録再生装置に搬送する必要があるため、アーカイブ装置の消費電力がとりわけ大きくなってしまう。さらに処理時間も増大してしまう。一方、本発明を用いれば、アーカイブ装置の消費電力と処理時間の増大を低減するとともに、情報の信頼性を高めることが出来る。
【実施例２】
【００８５】
実施例２では本発明をハードディスクドライブ（以下、ＨＤＤと表記）を用いたアーカイブ装置に適用した場合の実施例について説明する。
【００８６】
実施例２のアーカイブ装置の構成ならびに動作を、図面を参照しながら詳述する。
【００８７】
図１２は実施例２におけるアーカイブ装置のブロック図である。尚、本実施例では情報記録再生ドライブに情報記録媒体が一体となったＨＤＤを用いるアーカイブ装置として説明するが、情報記録再生ドライブはこれらに限られるものではなく、情報記録再生ドライブと情報記録媒体が一体となったものであれば良く、例えば情報記録再生ドライブに情報記録媒体が一体となった光ドライブを用いたアーカイブ装置としても良い。
【００８８】
以下、実施例１と相違する点についてのみ説明し、前記の図と同一の機能を有する部品には同一の符号を付して、その繰り返しの説明は省略する。
【００８９】
アーカイブ装置制御部１１はアーカイブ装置１２００の動作全般を制御する機能を備えており、集線装置１８を介して所定のホストコンピュータ２０から受信する命令コマンドに従って所定のＨＤＤにデータを記録再生する。またＨＤＤ１９の記録再生中、ＨＤＤ１９は記録再生したデータと記録再生の際に得られる情報記録媒体品質評価値を集積装置１８を介してアーカイブ装置制御部１１に供給する。
【００９０】
図１３は実施例２における情報記録媒体が一体となった情報記録再生ドライブの構成図である。
【００９１】
本実施例のＨＤＤ１９は、磁気ヘッド１３０１と、ボイスコイルモータ（以下、ＶＣＭ１３０２と表記）と、ピポット軸受１３０３と、磁気ディスク１３０４と、ヘッド支持ばね１３０５と、キャリッジ１３０７と、スピンドルモータ１３０８と、サーボセクタ１３１２と、ヘッド信号増幅器１３１３と、サーボ信号生成部１３１４と、信号品質測定部１３１５と、再生信号生成部１３１６と、再生信号２値化部１３１７と、デコード部１３１８と、ドライブ制御部１３１９と、インターフェースコントローラ１３２１と、エンコード部１３２２と、パワーアンプ部１３２３と、バス１３２４とで構成される。
【００９２】
スピンドルモータ１３０８は、図示しないベースに固定されており、所定速度で回転する。スピンドルモータ１３０８には、情報記録媒体である磁気ディスク１３０４が固定されている。スピンドルモータ１３０８に固定された磁気ディスク４の側方にはピポット軸受３がスピンドルモータ軸に平行になるように設けられている。磁気ヘッド１の保持部材はヘッド支持ばね１３０５とキャリッジ１３０７とからなり、ピポット軸受１３０３に振動可能に固定されている。磁気ヘッド１３０１を移動させる動力はＶＣＭ１３０２により発生する。尚、図示はしていないが磁気ディスク１３０４と磁気ヘッド１３０１は一つとは限定されず、複数存在しても良く、複数の磁気ディスク１３０４が存在する場合、磁気ヘッド１３０１などは磁気ディスク１３０４の数に応じて具備される。
【００９３】
ＶＣＭ２内の駆動コイルは、キャリッジ７に固定されている。磁気ヘッド１３０１を位置決めするヘッドアクチュエータは、磁気ヘッド１３０１、ヘッド支持ばね１３０５、キャリッジ１３０７、ピポット軸受１３０３及びＶＣＭ１３０２から構成される。
【００９４】
磁気ディスク１３０４から磁気ヘッド１３０１で再生された情報はヘッド信号増幅器１３１３を介してサーボ信号生成部１３１４、信号品質測定部１３１５および再生信号生成部１３１６に送られる。
【００９５】
信号品質測定部１３１５ではヘッド信号増幅器１３１３から供給される信号から再生信号情報の位相エラー情報であるエッジシフト、ジッタおよびサーボ信号などを測定して測定結果を生成し、後述する情報記録媒体品質評価値としてドライブ制御部１３１９に供給する。
【００９６】
サーボ信号生成部１３１４は、ヘッド信号増幅器１３１３を介して、磁気ディスク１３０４上に放射状に配置されたサーボセクタ１３１２領域に記録されたサーボ情報を検出し、後述する情報記録媒体品質評価値として制御部１３１９に供給する。
【００９７】
再生信号生成部１３１６は、波形等化回路とＡ／Ｄコンバータとを備えており、ヘッド信号増幅器１３１３から供給されたアナログの再生信号に対して、所定の波形等化の後、標本化および量子化を行ってデジタル信号に変換し、再生信号２値化部１３１７に供給する。
【００９８】
再生信号２値化部１３１７は供給される再生信号に好適な手段で、再生信号を所定の変調規則に基づくＮＲＺＩ信号に変換する。再生信号２値化部１３１７で生成されたＮＲＺＩ信号は、デコード部１３１８によってデータの訂正処理などを行って再生データ信号に変換され、バス１３２４、インターフェースコントローラ１３２１、集線装置１８を介してアーカイブ装置制御部１１に送られる。また、デコード部１３１８は訂正処理時に訂正を行った回数を通知する機能を備えており、再生エラーレートを測定することができ、該再生エラーレートを後述する情報記録媒体品質評価値としてインターフェースコントローラ１３２１を介してアーカイブ装置制御部１１に送られる。
【００９９】
ドライブ制御部１３１９はＨＤＤ１９の動作全般を制御する。再生時のドライブ制御部１３１９はサーボ信号生成部１３１４から供給されるサーボ信号を用いて、スピンドルモータ１３０８に装着された磁気ディスク１３０４の回転制御を行い、ヘッド支持ばね１３０５、キャリッジ１３０７、ピポット軸受１３０３及びＶＣＭ１３０２を駆動して磁気ヘッド１３０１を磁気ディスク１３０４の半径方向に変位させるシーク制御及び送り制御を行い、磁気ヘッド１３０１を再生位置に追従させる。尚、ここでサーボ制御に用いたサーボ信号は情報記録媒体品質評価値としてバス１３２４、インターフェースコントローラ１３２１および集線装置１８を介してアーカイブ装置制御部１１に送られる。
【０１００】
記録時のドライブ制御部１３１９はインターフェースコントローラ１３２１を介してアーカイブ装置制御部１１から送られてきた記録データ信号を、エンコード部５６で所定の変調規則によるＮＲＺＩ信号に変換してドライブ制御部１３１９に供給し。ドライブ制御部３１はこのＮＲＺＩに対応した記録制御信号をパワーアンプ部１３２３に供給する。パワーアンプ部１３２３は前記供給された記録制御信号に従って電流指令信号を生成してＶＣＭ駆動電流を規定し、所定の磁気記録を行う。
【０１０１】
尚、記録再生時にドライブ制御部１３１９は各ドライブ固有のドライブＩＤを前記情報記録媒体品質評価値と共に制御部１１に供給する。
【０１０２】
ここで前記記載の情報記録媒体品質評価値について図１４を用いて説明する
図１４は情報記録媒体品質評価値として情報記録媒体監視データベース１７に記録される項目を示しており、各情報はドライブＩＤ毎に記録再生もしくは後述するＨＤＤの品質を類推するたびに追加更新される。１４００はＨＤＤ固有のＩＤを示すドライブＩＤ、１４０１はＨＤＤがアーカイブ装置に保管されてから経過した時間を示すドライブ保管時間、１４０２は記録再生動作を行った時間を示す記録再生動作時間、１１０３乃至１１０５および１１０８は実施例１同様にエラーレート、エッジシフト、ジッタ、サーボ信号、を各々示し、１１１０乃至１１１２は実施例１と同義のものであり、実施例２ではＨＤＤの品質劣化の傾向、類推品質、品質保持時間を示す。
【０１０３】
実施例２のアーカイブ装置が記録再生中に全ＨＤＤの品質を評価する処理動作について説明する。図１５は実施例２における記録再生動作中に実行するＨＤＤの品質評価処理のフローチャートである。
【０１０４】
アーカイブ装置制御部１１はホストコンピュータ２０から記録再生命令を受け取ると、記録再生処理の実行に併せて品質評価処理を実施する。ここではＨＤＤ１９のうち、ＨＤＤ Ｍにデータを記録再生する命令を受け取ったものとする。
【０１０５】
１５０２においてＨＤＤ Ｍに対してデータを記録再生し、該記録再生中にＨＤＤ Ｍは記録再生領域のエッジシフト、ジッタおよびサーボ信号やエラーレートなどの情報記録媒体品質評価値を測定する。再生の場合は再生データから信号品質測定部１３１５とデコード部１３１８が前記情報記録媒体品質評価値を測定し、記録の場合は記録後に記録領域の再生を行うベリファイ処理によって、情報記録媒体品質評価値を測定する。このベリファイ処理は記録する全ての領域に対して行っても良いし、例えば記録されるデータの内、最外周に記録されるデータに対して行っても良く、情報記録媒体品質評価値を測定する領域は限定されない。測定された情報記録媒体品質評価値はアーカイブ装置制御部１１に送られる。
【０１０６】
次に１５０３において、アーカイブ装置制御部１１は受信した情報記録媒体品質評価値を情報記録媒体品質監視部１６に供給する。
【０１０７】
１５０４において情報記録媒体品質監視部がアーカイブ装置に保管される全ＨＤＤの品質劣化の傾向１１１０、類推品質１１１１および品質保持時間１１１２を図１に示す実施例１の１０４と同様の手法を用いて算出する。
【０１０８】
１５０５では類推品質１１１１が予め定めた閾値を超えるＨＤＤがあるかを判断し、無ければ評価を終了し、あれば該ＨＤＤを品質規格外ＨＤＤに設定して１５０８の処理を実行する。
【０１０９】
１５０８では図１に示す実施例１の１０８と同様の手法を用いて品質規格外ＨＤＤの情報記録媒体品質評価値を取得する。
【０１１０】
１５０９において１５０８で取得した情報記録媒体品質評価値と前記記載の予め定めた閾値を比較し、その結果、ＨＤＤは品質規格外ＨＤＤであるかを判断し、品質規格外のＨＤＤでなければ１５０５の処理に戻り、１５０９において検査したＨＤＤが品質規格外のＨＤＤであると判断された場合には１５１０の品質規格外ＨＤＤに対して特別処理を実行する。
【０１１１】
１５１０の品質規格外ＨＤＤの特別処理について図１６を用いて詳細に説明する。
【０１１２】
まず１５１０００において当該ＨＤＤが未記録ＨＤＤであるかを判断し、未記録ＨＤＤであれば１５１００１の処理を実行し、既記録ＨＤＤであれば１５１００６の処理を実行する。
【０１１３】
１５１００１では品質規格外ＨＤＤを記録禁止ＨＤＤに設定して、以降記録を行わないＨＤＤとし、交換対象ＨＤＤとして該ＨＤＤをアーカイブ装置から排出し、新たなＨＤＤと交換する処理などを行う。また交換対象ＨＤＤに設定されたＨＤＤに関する情報記録媒体監視データベース１７に記録される情報記録媒体品質評価値には交換対象ＨＤＤに設定されたことを追加し、該品質規格外ＨＤＤの情報記録媒体品質評価値は全ＨＤＤの品質劣化の傾向１１１０、類推品質１１１１および品質保持時間１１１２を算出する際には除外しても良いし、用いても良い。ここで、交換対象ＨＤＤに設定されたＨＤＤの交換処理実行時期については交換対象ＨＤＤが一定の枚数に達した時点で行っても良いし、交換処理を実行する時期を定期的に決めて行っても良く、交換する時期については限定されない。また、交換対象ＨＤＤに設定したＨＤＤをすぐに交換しない場合は、一時的にアーカイブ装置に保管される。また新たに追加されたＨＤＤは従来から保管される情報記録媒体の情報記録媒体品質評価値も含めて品質劣化の傾向１１１０、類推品質１１１１および品質保持時間１１１２を算出しても良いし、ＨＤＤを追加した時期毎に区分けして前記１１１０乃至１１１２を算出しても良い。
【０１１４】
１５１００６では１５０５で品質規格外ＨＤＤと判断されなかったＨＤＤ、または１５１００４で記録禁止ＨＤＤと判断されていないＨＤＤ Ｐを選択し、該ＨＤＤ ＰのドライブＩＤをアーカイブ装置制御部１１に供給する。
【０１１５】
１５１００２ではまず品質規格外ＨＤＤに記録される全てのデータを再生し、再生されたデータは順次集線回路１８を介してアーカイブ装置制御部１１に送られる。アーカイブ装置制御部１１は該送られる再生データを順次記録データとしてＨＤＤ Ｐに供給し、該送られるデータは順次ＨＤＤ Ｐに記録され、品質規格外ＨＤＤの複製を生成する。前記ＨＤＤ複製時の記録動作については図１５に示す１５０２の記録動作と同様に記録と再生を交互に繰り返すベリファイ処理とし、記録中は情報記録媒体品質評価値を取得する。
【０１１６】
１５１００３では１５１００２で取得した情報記録媒体品質評価値を用いて、複製したＨＤＤ Ｐが品質規格外ＨＤＤであるかを判断し、複製したＨＤＤ Ｐが品質規格外ＨＤＤでなければ１５１００５の処理を実行し、複製したＨＤＤ Ｐが品質規格外ＨＤＤであれば１５１００４の処理を実行する。
【０１１７】
１５１００５は１５１００１の同様の処理である。１５１００４では複製したＨＤＤに対して１５１００１や１５１００５と同様の処理を実行し、処理が終了したら１５１００６の処理を実行する。
【０１１８】
品質規格外ＨＤＤの特別処理が終了したら、１５０５の処理に戻り品質規格外ＨＤＤの内、１５０８の処理を実行していないＨＤＤはないかを判断し、ないと判断されれば評価は終了し、あれば前記記載の通り１５０８の処理を実行する。
【０１１９】
図１７は記録再生時以外のアーカイブ装置１２００動作中の情報記録媒体の品質評価処理フローチャートを示す。尚、図１５に示す記録再生動作中に実行する情報記録媒体の品質評価処理のフローチャートと同じ処理については図１５と同じ番号を付しおり、同じ処理の動作説明は省略する。
【０１２０】
１７０１において、情報記録媒体品質監視部１６は情報記録媒体監視データベース１７に記録される図１４の全ＨＤＤの品質保持時間１１１２と、全ＨＤＤ１９のドライブ保管時間１４０１を比較し、該比較結果において品質保持時間１１１２がＨＤＤ保管時間１４０１を上回った場合は記録再生時以外の評価は終了し、下回った場合は１５０２の処理を実行する。
【０１２１】
図１７に示す１５０２、１５０９及び１５１０の処理は前記記載の図１５に示す１５０２、１５０９及び１５１０と同様である。
【０１２２】
ここで記録再生時以外の評価はアーカイブの起動中は常に実行していても良いし、定期的に実行していても良いし、図１２に示すホストコンピュータ２０からの命令を受けたときに実行しても良いし、品質保持時間１１１２がディスク保管時間１１１２を下回ったら警告信号を出力する機能を情報記録媒体監視データベースに持たせ、図１７に示す処理を実行するようにしても良く、記録再生時以外の評価の時期は限定されない。またアーカイブ装置が記録再生を行わず、情報記録媒体監視データベースに情報記録媒体品質評価値が全く記録されていない場合においては、情報記録媒体品質監視部１６が予め定めた初期品質保持時間と前記経過時間の比較を行い、前記１７０１と同様の処理を実行する。
【０１２３】
このように情報記録媒体と情報記録再生ドライブが一体となったＨＤＤを用いるアーカイブ装置においては情報記録媒体の搬送機構を削減することが可能であり、通常の記録再生動作中に情報記録媒体品質評価値を取得し、該取得した結果から情報記録媒体の品質劣化の傾向を算出し、該算出した品質劣化の傾向から情報記録媒体の品質を類推することで、情報記録媒体品質監視のための処理を軽減させた上でアーカイブ装置に保存される情報記録媒体の品質を監視することができるためアーカイブ装置に記録されるデータの信頼性を向上することができる。
【実施例３】
【０１２４】
実施例３では本発明を、少なくとも１台の実施例１乃至２記載のアーカイブ装置を情報記録再生装置として相互に接続して構成されるアーカイブ装置に適用した場合の実施例について説明する。
【０１２５】
実施例３のアーカイブ装置の構成ならびに動作を、図面を参照しながら詳述する。
【０１２６】
以下、実施例１乃至２と相違する点についてのみ説明し、前記の図と同一の機能を有する部品には同一の符号を付して、その繰り返しの説明は省略する。図１８は実施例３におけるアーカイブ装置のブロック図である。
【０１２７】
ホストサーバ１８０３はアーカイブ装置１８００の動作全般を制御する機能を備えており、バス１８０２を介して所定のホストコンピュータ１８０１から供給される命令コマンドに従ってアーカイブ装置１８００内部に具備される所定の情報記録再生装置１８０６にデータを記録再生する。また情報記録再生装置１８０６の記録再生中、情報記録再生装置１８０６は記録再生したデータと記録再生の際に得られる情報記録媒体品質評価値をＩＦ１８０４を介してホストサーバ１８０３に供給する。ここで、情報記録再生装置１８０６は実施例１記載のアーカイブ装置を用いても良いし、実施例２記載のアーカイブ装置を用いても良いし、あるいは実施例１と２記載のアーカイブ装置を両方用いても良い。
【０１２８】
図１９はホストサーバ１８０３の構成図である。
【０１２９】
ホストサーバ１８０３はアーカイブ装置制御部１８０３０１と、情報記録媒体品質監視部１６と情報記録媒体監視ＤＢ１７と、インターフェース１８０３０４と、インターフェース１８０３０５で構成される。
【０１３０】
アーカイブ装置制御部１８０３０１はインターフェース１８０３０５を介して供給されるホストコンピュータ１８０１からの命令コマンドに従って、アーカイブ装置制御信号と記録データをインターフェース１８０３０４を介してアーカイブ装置１８００に供給し、アーカイブ装置１８００から１８０３０４を介して供給される情報記録媒体品質評価値を情報記録媒体品質監視部１６に、再生データをインターフェース１８０３０５を介してホストコンピュータに供給する。
【０１３１】
図２０は実施例３における情報記録再生装置１８０６の構成図である。本実施例における情報記録再生装置が実施例１記載のアーカイブ装置と相違する点は、情報記録媒体品質監視部１６と情報記録媒体監視ＤＢ１７を具備しない点と、アーカイブ装置制御部１１に代わり情報記録再生装置制御部１８０６０１が具備された点である。
【０１３２】
情報記録再生装置制御部１８０６０１は情報記録再生装置１８０６の動作全般を制御する機能を備えており、チェンジャー機構１２を動作させて、ラック１３から所定の光ディスク４０を取り出し、所定の光ドライブ３０まで搬送してロードする。あるいは逆に、所定の光ドライブ３０からイジェクトされた光ディスク４０を、ラック１３の所定のスロットに搬送して収納する。また、ドライブインタフェース１５を介して各光ドライブ３０は互いに、また情報記録再生装置制御部１８０６０１と接続されており、情報記録再生装置制御部１８０６０１は所定の光ドライブ３０に対してホストサーバ１８０３から供給されるアーカイブ装置制御信号に従って、記録や再生といった各種のコマンドと記録するデータを送信し、コマンドの実行結果と再生したデータおよび後述する情報記録媒体品質評価値を受信する。また、情報記録再生装置制御部１８０６０１は受信した情報記録媒体品質評価値をインターフェース１４を介してホストサーバ１８０３に供給する。
【０１３３】
図２１は実施例３における情報記録再生装置１８０６の構成図である。本実施例における情報記録再生装置が実施例２記載のアーカイブ装置と相違する点は、情報記録媒体品質監視部１６と情報記録媒体監視ＤＢ１７を具備しない点と、アーカイブ装置制御部１１に代わり情報記録再生装置制御部１８０６０２が具備された点である。
【０１３４】
情報記録再生装置制御部１８０６０２は情報記録再生装置１８０６の動作全般を制御する機能を備えており、集線装置１８を介して所定のホストサーバ１８０３から受信する命令コマンドに従って所定のＨＤＤにデータを記録再生する。またＨＤＤ１９の記録再生中、ＨＤＤ１９は記録再生したデータと記録再生の際に得られる情報記録媒体品質評価値を集積装置１８を介して情報記録再生装置制御部１８０６０２に供給し、情報記録再生装置１８０６０２は前記情報記録媒体品質評価値をインターフェース１４を介してホストサーバ１８０３に供給する。
【０１３５】
前述したが、実施例３における情報記録再生装置１８０６は図２０に示す情報記録再生装置１８０６を用いても良いし、図２１に示す情報記録再生装置１８０６を用いても良い。
【０１３６】
ここで前記記載の情報記録媒体品質評価値について図２２と図２３を用いて説明する。
【０１３７】
図２２において実施例１の情報記録媒体品質評価値と相違する点は、複数存在する各情報記録再生装置１８０６固有のＩＤを示す情報記録再生装置ＩＤ１１１３が追加された点である。前記情報記録再生装置ＩＤ１１１３を前記情報記録媒体監視ＤＢに登録することで、アーカイブ装置制御部１８０３０１はアーカイブ装置に具備される情報記録媒体を、該情報記録媒体を具備する情報記録再生装置毎に管理することが可能となり、アーカイブ装置に具備される全情報記録媒体の品質を監視することが可能となる。
【０１３８】
図２３において実施例２の情報記録媒体品質評価値と相違する点は、図２２で示した情報記録媒体品質評価値と同様に、複数存在する各情報記録再生装置１８０６固有のＩＤを示す情報記録再生装置ＩＤ１１１３が追加された点である。
【０１３９】
記録再生動作中に実行する情報記録媒体の品質評価処理は、情報記録再生装置１８０６に図２０に示すアーカイブ装置を用いる場合は図１に従い、情報記録再生装置１８０６に図２１に示すアーカイブ装置を用いる場合は図１５に従う。また記録再生時以外の情報記録媒体の品質評価処理は、情報記録再生装置１８０６に図２０に示すアーカイブ装置を用いる場合は図１０に従い、情報記録再生装置１８０６に図２１に示すアーカイブ装置を用いる場合は図１７に従う。
【０１４０】
尚、実施例３において情報記録媒体の品質劣化の傾向１１１０、類推品質１１１１、品質保持時間１１１２を算出する際には情報記録再生装置ＩＤ１１１３毎に算出を行っても良いし、情報記録再生装置ＩＤ１１１３に関係なくアーカイブ装置に具備される全情報記録媒体を用いて算出を行っても良く、その算出方法は限定されない。
【０１４１】
このように少なくとも１台の実施例１乃至２記載のアーカイブ装置を情報記録再生装置として相互に接続して構成されるアーカイブ装置において、該アーカイブ装置を制御するホストサーバが情報記録媒体の品質を監視することで、アーカイブ装置が情報記録媒体の監視部とデータベースを持つことが不要となり、アーカイブ装置に具備される全情報記録媒体を一元管理することが可能となる。
【符号の説明】
【０１４２】
１０・・・光ディスクアーカイブ装置
１１・・・ライブラリ制御部
１２・・・チェンジャー機構
１３・・・ラック
１４・・・ホストインタフェース
１５・・・ドライブインタフェース
１６・・・情報記録媒体品質監視部
１７・・・情報記録媒体監視データベース
１８・・・集線装置
１９・・・ＨＤＤ
２０・・・ホストコンピュータ
３１・・・ドライブ制御部
３２・・・光ピックアップ
３４・・・コントローラインタフェース
４０・・・光ディスク
５０・・・ディスク回転機構
５１・・・スライダ機構
５３・・・サーボ信号生成部
５５・・・再生信号２値化部
５６・・・エンコード部
５７・・・デコード部
６０・・・ＡＦＥ
６１・・・信号品質測定部
１２００・・・アーカイブ装置
１３０１・・・磁気ヘッド
１３０２・・・ＶＣＭ
１３０３・・・ピポット軸受
１３０４・・・磁気ディスク
１３０５・・・ヘッド支持ばね
１３０７・・・キャリッジ
１３０８・・・スピンドルモータ
１３１２・・・サーボセクタ
１３１３・・・ヘッド信号増幅器
１３１４・・・サーボ信号生成部
１３１５・・・信号品質測定部
１３１６・・・再生信号生成部
１３１７・・・再生信号２値化部
１３１８・・・デコード部
１３１９・・・ドライブ制御部
１３２１・・・インターフェースコントローラ
１３２２・・・エンコード部
１３２３・・・パワーアンプ部
１３２４・・・バス  
１８００・・・アーカイブ装置
１８０１・・・ホストコンピュータ
１８０２・・・バス
１８０３・・・ホストサーバ
１８０４・・・インターフェース
１８０５・・・バス
１８０６・・・情報記録再生装置
１８０３０１・・・アーカイブ装置制御部
１８０３０４・・・インターフェース
１８０３０５・・・インターフェース
１８０６０１・・・情報記録再生装置制御部
１８０６０２・・・情報記録再生装置制御部
【図１】
2013097821.tif 000003
【図２】
2013097821.tif 000004
【図３】
2013097821.tif 000005
【図４】
2013097821.tif 000006
【図５】
2013097821.tif 000007
【図６】
2013097821.tif 000008
【図７】
2013097821.tif 000009
【図８】
2013097821.tif 000010
【図９】
2013097821.tif 000011
【図１０】
2013097821.tif 000012
【図１１】
2013097821.tif 000013
【図１２】
2013097821.tif 000014
【図１３】
2013097821.tif 000015
【図１４】
2013097821.tif 000016
【図１５】
2013097821.tif 000017
【図１６】
2013097821.tif 000018
【図１７】
2013097821.tif 000019
【図１８】
2013097821.tif 000020
【図１９】
2013097821.tif 000021
【図２０】
2013097821.tif 000022
【図２１】
2013097821.tif 000023
【図２２】
2013097821.tif 000024
【図２３】
2013097821.tif 000025